(57)【特許請求の範囲】
【請求項１】
対向する遠位端および近位端を有し、薬剤容器アセンブリを格納するよう適合された、概して細長いハウジング（１０；１００、１０２）と、
前記ハウジング内に配置され、薬剤の用量を放出するために前記薬剤容器アセンブリに作用するよう構成された駆動アセンブリと、
前記駆動アセンブリに動作可能に接続され、前記駆動アセンブリを起動させるための作動アセンブリとを含み、前記駆動アセンブリは、ハウジングに対して可動であり、ハウジングの近位端から突出する近位部を有し、前記薬剤容器アセンブリの送達部材をカバーすることが可能なガード部材（１２；１０４）と、前記ハウジングに配置され、ハウジングを通して動作可能であるアクチュエータ部材（４４；１８０）とを含み、
作動アセンブリは、ガード部材（１２；１０４）とアクチュエータ部材（４４；１８０）との間に配置されたロック部材（２８；１３２）をさらに含み、前記ロック部材は、ガード部材が送達部位に押付けられると、ガード部材によって、ロック部材がアクチュエータ部材を阻止している第１のロック位置と、ロック部材がアクチュエータ部材を動作可能にする解除位置との間で動かされるよう構成されており、前記ロック部材はさらに、アクチュエータ部材によって、解除位置と、前記ガード部材が送達部位から取外された後ロック部材がガード部材を阻止している第２のロック位置との間で動かされるよう構成されていることを特徴とする、薬剤送達装置。
【請求項２】
ロック部材は、ガード部材によって、およびアクチュエータ部材によって、ハウジングに対して回転されるよう構成された回転体部材である、請求項１に記載の薬剤送達装置。
【請求項３】
作動アセンブリは、回転体部材とガード部材との間に配置され、前記ガード部材を近位端に向けて圧迫するための第１の弾性力部材をさらに含む、請求項２に記載の薬剤送達装置。
【請求項４】
容器アセンブリは、送達部材を有するシリンジを含む、請求項３に記載の薬剤送達装置。
【請求項５】
容器アセンブリはカートリッジを含み、カートリッジは、送達部材がカートリッジに取付けられることを可能にするために、ガード部材の近位部に対して突出している近位端を有する、請求項３に記載の薬剤送達装置。
【請求項６】
ガード部材は、前記ガード部材がハウジングに対して手動で回されると、前記ガード部材が第１の弾性力部材によって装置の近位端に向けて押し進められ、それにより送達部材を視界からカバーするように、誘導手段によってハウジングに動作可能に接続されている、請求項５に記載の薬剤送達装置。
【請求項７】
ガード部材は、前記ガード部材が送達部位に押付けられると、ガード部材が送達部材を視界からカバーしている伸張された位置と、弾性力部材が圧縮されて送達部材が視界に露出されるようにガード部材がハウジング内に配置される引っ込んだ位置との間で、ハウジングに対して動かされるよう配置されている、請求項５または６に記載の薬剤送達装置。
【請求項８】
圧縮された弾性力部材は、前記ガード部材が送達部位から取外されると、ガード部材を引っ込んだ位置から伸張された位置へと押し進めるよう適合されている、請求項７に記載の薬剤送達装置。
【請求項９】
前記薬剤送達装置は自動注射器である、請求項１〜８のいずれか１項に記載の薬剤送達装置。
【発明の詳細な説明】
【技術分野】
【０００１】
この発明は薬剤送達装置に関し、特に、薬剤の用量を送達するための薬剤送達部材の取付を容易にするなどのために薬剤カートリッジを取扱うことができる薬剤送達装置に関する。
【背景技術】
【０００２】
発明の背景
薬剤送達装置で使用するための多くの薬は、ストッパが位置付けられたガラス管として通常形成されたいわゆるカートリッジに収容されている。カートリッジの近位端には隔壁または同様の弾性膜が配置されており、それを通して薬剤送達部材の遠位端を押すことができる。
【０００３】
装置にはこのため、これらの薬剤容器が位置付けられ得る区画が配置され、また、薬剤送達部材上の対応する取付部材と協働するよう意図された取付部材が設けられたネック部が配置されている。
【０００４】
多くの装置については、薬剤送達部材は注射針を構成している。注射針は、患者の注射部位で薬剤の用量を送達するために、薬剤カートリッジ上の対応する取付手段と協働するよう設計された取付部材に配置されてもよい。注射針はまた、シリンジの一部であってもよく、すなわち、薬剤容器と一体化されていてもよい。
【０００５】
注射針によって意図せず怪我をするという危険のためだけでなく、たとえば穿通中に針を見たくない患者のために使用前の針をカバーするために、さまざまなカバー、キャップ、および／またはシールドならびにガードが考案されてきた。これらは、装置に対してそれらを異なる方向に圧迫するばね部材と、カバーまたはシールドを異なる位置で保持してロックするための解除可能または解除不能なロック部材とを伴うことが多い。
【０００６】
シールドに作用するばねの使用に関し、それらは、薬の送達前、シールドをロックされない状態で近位方向に圧迫するために使用されることが多い。そのような一装置が文献ＷＯ２００６／０５７６０４に開示されており、それは、装置の遠位端で用量設定部材を回す作用により引っ込んだ位置から解除される針シールドを有する。ＷＯ２００６／０５７６０４の装置は、混合、充填、自動穿通、および自動注射などの多くの機能を含んでおり、それを複数の部品で複雑にしている。また、針シールドを解除するには、部品は装置全体を通って用量設定部材から延在する必要がある。用途および使用によっては、装置はそれほど複雑である必要はなく、それほど多くの機能を含む必要もなく、ただ直観的で使いやすければよい。
【発明の概要】
【発明が解決しようとする課題】
【０００７】
発明の簡単な説明
この発明の目的は、薬剤送達部材を取付けることができる薬剤カートリッジを収容でき、薬剤送達部材ガードを容易に起動できる薬剤送達装置を提供することである。
【課題を解決するための手段】
【０００８】
この目的は、独立特許請求項の特徴に従った薬剤送達装置によって得られる。この発明の好ましい実施例は、従属特許請求項の主題を形成する。
【０００９】
この発明の主な局面によれば、それは、薬剤送達装置であって、対向する遠位端および近位端を有し、薬剤容器アセンブリを格納するよう適合された、概して細長いハウジングと、前記ハウジング内に配置され、薬剤の用量を放出するために前記薬剤容器アセンブリに作用するよう構成された駆動アセンブリと、前記駆動アセンブリに動作可能に接続され、前記駆動アセンブリを起動させるための作動アセンブリとを含み、前記駆動アセンブリは、ハウジングに対して可動であり、ハウジングの近位端から突出する近位部を有するガード部材と、前記ハウジングに配置され、ハウジングを通して動作可能であるアクチュエータ部材とを含み、作動アセンブリは、ガード部材とアクチュエータ部材との間に配置されたロック部材をさらに含み、前記ロック部材は、ガード部材が送達部位に押付けられると、ガード部材によって、ロック部材がアクチュエータ部材を阻止している第１のロック位置と、ロック部材がアクチュエータ部材を動作可能にする解除位置との間で動かされるよう構成されており、前記ロック部材はさらに、前記ガード部材が送達部位から取外された後、アクチュエータ部材によって、解除位置と、ロック部材がガード部材を阻止している第２のロック位置との間で動かされるよう構成されている、薬剤送達装置によって特徴付けられる。
【００１０】
この発明の別の局面によれば、ロック部材は、ガード部材によって、およびアクチュエータ部材によって、ハウジングに対して回転されるよう構成された回転体部材である。
【００１１】
この発明のさらなる局面によれば、作動アセンブリは、回転体部材とガード部材との間に配置され、前記ガード部材を近位端に向けて圧迫するための第１の弾性力部材をさらに含む。
【００１２】
この発明の別の局面によれば、容器アセンブリは、送達部材を有するシリンジを含む。
この発明のさらなる局面によれば、容器アセンブリはカートリッジを含み、カートリッジは、送達部材がカートリッジに取付けられることを可能にするために、ガード部材の近位部に対して突出している近位端を有する。
【００１３】
この発明のさらに別の局面によれば、ガード部材は、前記ガード部材がハウジングに対して手動で回されると、前記ガード部材が第１の弾性力部材によって装置の近位端に向けて押し進められ、それにより送達部材を視界からカバーするように、誘導手段によってハウジングに動作可能に接続されている。
【００１４】
この発明のさらに別の局面によれば、ガード部材は、前記ガード部材が送達部位に押付けられると、ガード部材が送達部材を視界からカバーしている伸張された位置と、弾性力部材が圧縮されて送達部材が視界に露出されるようにガード部材がハウジング内に配置される引っ込んだ位置との間で、ハウジングに対して動かされるよう配置されている。
【００１５】
この発明の別の局面によれば、圧縮された弾性力部材は、前記ガード部材が送達部位から取外されると、ガード部材を引っ込んだ位置から伸張された位置へと押し進めるよう適合されている。
【００１６】
この発明のさらなる局面によれば、前記薬剤送達装置は自動注射器である。
この発明には多くの利点がある。ガード部材とアクチュエータ部材との間に配置されたロック部材の使用により、かなり少ない部品でいくつかの機能を得ることができる。また、薬剤送達部材が位置付けられる装置の近位端のガード部材とアクチュエータ部材との間に機能的連結が作り出されており、装置が送達部位に押付けられるまでアクチュエータ部材を動作させることはできず、それにより装置は作動できないようになっている。
【００１７】
ロック部材は、装置の長手方向軸の周りに回転可能であり、かつ部品の動きを防止するかまたは許容することが可能な回転体部材として設計され、配置されてもよい。
【００１８】
特に、ガード部材上のガイドと協働する誘導部材と、ロックおよび解除部材とが回転体に配置されている場合、ガード部材は、用量送達前に薬剤送達部材を取付ける場合の引っ込んだ位置、または、薬剤送達部材が注射針である場合に偶発的な針刺しを回避するために薬剤送達部材をカバーするための用量送達後の伸張された位置といった異なる位置でロック可能である。
【００１９】
回転体および他の相互作用部品はこのため、少数の部品に一体化され、かつ、異なる動作中に直線的におよび回転により動かされて接触するようになる、および接触しなくなる、ガイド、突起、棚状突起などを含み得る。
【００２０】
この発明のこれらのおよび他の局面ならびに利点は、以下の詳細な説明から、および添付図面から明らかとなるであろう。
【００２１】
図面の簡単な説明
以下のこの発明の詳細な説明では、添付図面を参照する。
【図面の簡単な説明】
【００２２】
【図１】この発明の第１の実施例の部分分解斜視図である。
【図２】図１の装置に含まれる回転体円筒の詳細図である。
【図３】回転体円筒および薬剤送達部材ガードの詳細図である。
【図４】回転体円筒および作動部材の詳細図である。
【図５】この発明の第２の実施例の斜視図である。
【図６】図５の装置の部分分解図である。
【図７】図５の装置のさらなる分解図である。
【図８】図５の装置の断面図である。
【図９】図５の装置に含まれる回転体部材の詳細図である。
【図１０】図５の装置に含まれる薬剤容器ホルダの詳細図である。
【図１１】図５の装置の別の部分分解図である。
【図１２】図５の装置に含まれる回転体部材および作動機構の詳細図である。
【図１３】図５の装置に含まれる作動機構の分解詳細図である。
【発明を実施するための形態】
【００２３】
発明の詳細な説明
本願では、「遠位部／端」という用語を使用する場合、これは、薬剤送達部位から最も遠くに位置する、送達装置の部分／端、またはその部材の部分／端を指す。これに応じて、「近位部／端」という用語を使用する場合、これは、薬剤送達部位の最も近くに位置する、送達装置の部分／端、またはその部材の部分／端を指す。
【００２４】
この発明に従った薬剤送達の例示的な一実施例を、図１〜４に示す。図１は、略管状の細長いハウジング１０を含む。ハウジングの近位端には、略管状の針ガード１２の形をしたガード部材が、ハウジングに対して摺動可能に配置されている。針ガードの外面には、第１の誘導部材１４が配置されている。さらに、ハウジングの近位端の内面には、第２の誘導部材１６が配置されている。第１および第２の誘導部材は、以下に説明するように針ガード１２の動きを誘導するよう配置されている。図１〜４に示す実施例によれば、第１の誘導部材は隆起１８の形をしており、第２の誘導部材は、隆起１８に沿って滑ることができる突起１６である。針ガードにはさらに、図示された実施例では遠位方向に延在する舌状部２２の外面上の突起２０であるロック部材が配置されている。突起２０は図２のロック用棚状突起２４と協働するよう配置され、ロック用棚状突起２４は近位方向に向けられた舌状部２６の内面上に配置され、舌状部２６は略管状の回転体円筒２８の形をしたロック部材に取付けられ、回転体円筒２８は前記ハウジング１０の内部で回転可能に配置されている。回転体円筒２８には、図示された実施例では近位方向に向けられた傾斜面３０として配置されている第３の誘導部材が配置されている。第３の誘導部材の表面は、図示された実施例では針ガードの舌状部２２上に配置された遠位方向に向けられた傾斜面３２である第４の誘導部材と協働している。回転体円筒２８と針ガード１２との間には、後者を装置の近位方向に圧迫するために、ばね部材３４が配置されている。また、回転体円筒２８は、近位方向に向けられたロックタブ３５を含む。図２の回転体円筒２８に隣接するロックタブ３５の内面の区域３７上では、材料が取除かれている。また、区域３７の表面とロックタブ３５の内面の残りとの間には傾斜遷移部３７lが設けられており、その機能を以下に説明する。
【００２５】
回転体円筒２８の遠位端には、図示された実施例では図４の回転体円筒の遠位方向に向けられた端面３６と切欠き３８とを含む第２のロックおよび解除部材が配置されており、切欠き３８には傾斜側面４０が設けられている。また、装置の遠位端には、図示された実施例では遠位端を通って突出する作動ボタン４４の形をした作動部材を含む、作動部材４２が配置されている。作動ボタン４４には、近位方向に向けられた傾斜面４８を有する近位方向に向けられた舌状部４６が配置されている。
【００２６】
第１の実施例に従った装置は、以下のように機能するよう意図されている。装置がユーザに届けられたとき、針ガード１２はハウジング内部で引っ込んだ位置にあり、薬剤カートリッジ（図示せず）の近位端部を露出している。針ガード１２は、針ガード１２の突起２０が回転体円筒２８の棚状突起２４に当接することによって、引っ込んだ位置に保持される。このため、たとえば注射針などの薬剤送達部材を薬剤カートリッジに取付けることは、ユーザにとって容易である。
【００２７】
薬剤の用量を送達するために装置を起動させるために、ユーザは針ガード１２を回し、それにより突起２０は動かされて棚状突起２４と接触しなくなる。針ガード１２はこのため、ばね３４の力によって近位方向に自由に動き、それにより薬剤送達部材をカバーする。針ガード１２の動きにより、ハウジング１０上の突起１６は、針ガード１２の隆起１８に沿って動くようになる。ある隆起１８ａは装置の長手方向に対して若干傾斜しており、それにより針ガード１２は、針ガード１２の舌状部２２の傾斜面３２が回転体円筒２８の近位方向に向けられた傾斜面３０に沿って動かされるように、若干回転される。上述の動作中、作動部材４２は作動しないようロックされている。なぜなら、舌状部４６の近位端が、回転体円筒２８の遠位端面３６と接触しているためである。
【００２８】
次のステップは、用量送達部位で用量送達を行なうことである。ユーザはその場合、針ガード１２の近位端を用量送達部位に押付けて、薬剤送達部材が注射針である場合に穿通を引起し、それにより針ガード１２はばね３４の力に対抗して遠位方向に動かされる。この針ガード１２の動きにより、舌状部２２の傾斜面３２は動かされて回転体円筒２８の傾斜面３０と接触し、それに対して作用する。この作用により、回転体円筒２８は、回転体円筒２８の切欠き３８の傾斜側面４０が、作動部材４２の舌状部の傾斜端面４８に沿って動かされるように、ある距離回転するようになる。
【００２９】
次のステップは、用量送達を行なうことである。ユーザはその場合、作動ボタン４４を近位方向に押す。これはプランジャロッドを近位方向に動くよう押し進め、それにより、薬剤カートリッジのストッパも近位方向に動かされ、薬剤の用量が薬剤送達部材を通して放出されるようになる。近位方向への作動ボタン４４の動きにより、傾斜面４０、４８は、回転体円筒２８がある距離回転されるように協働するようになる。回転体円筒の回転により、突起２０は区域３７と接触し、その上を動くようになる。
【００３０】
装置がここで注射部位から取外されると、針ガード１２はばね３４によって再度近位方向に自由に動き、それにより、針ガード１２の突起２０は区域３７から遷移部３７lを越えて、図１のロックタブ３５の近位端面を通過する。この位置で、針ガード１２は伸張された位置でロックされ、薬剤送達部材を保護し、それにより、薬剤送達部材が注射針である場合に意図しない針刺しを回避する。
【００３１】
図５〜１３は、この発明の第２の例示的な実施例を示す。それは、略管状の細長い遠位ハウジング部１００を含む。遠位ハウジング部は、略管状の近位ハウジング部１０２に接続されている。近位ハウジング１０２の近位端には、薬剤送達部材ガード１０４の形をしたガード部材が配置されている。薬剤送達部材ガード１０４には、外向きに向けられた突起１０６が配置され、突起１０６は、近位ハウジング部１０２の細長い溝１０８に嵌まって、薬剤送達部材ガードの長手方向の摺動を可能にするものの、回転をロックするようになっている。薬剤送達部材ガードの近位端には、その外面上に螺旋状の溝１１０が配置され、溝１１０は、保護キャップ１１４の内面上の螺旋状に延在する隆起１１２と協働するよう配置されている。薬剤送達部材ガードの遠位端には、遠位方向に向けられた２つの舌状部１１６が配置され、各舌状部には、遠位方向に向けられた傾斜面１１８が配置されている。
【００３２】
近位ハウジング部１０２にはさらに、図示された実施例では近位ハウジング部１０２と一体化された薬剤容器ホルダ１２０が配置されている。薬剤容器ホルダは、図示された実施例では注射針の形をした薬剤送達部材１２４が設けられたシリンジである薬剤容器１２２を受けるよう適合されている。しかしながら、マウスピースまたはノーズピース、ノズル、吸入器などの他のタイプの薬剤送達部材が利用可能であることが理解されるべきである。薬剤容器ホルダ１２０の近位端面１２８（図８）と、薬剤送達部材ガード１０４の内部の遠位方向に向けられた面との間には、圧縮ばね１２６が配置されている。また、薬剤容器ホルダおよび近位ハウジング部の双方には、薬剤容器１２２が見えるように開口部または窓１３０が配置されており、薬剤容器１２２は好ましくは透明の材料で作られているため、薬剤容器１２２の中身がユーザに見える。
【００３３】
薬剤容器ホルダ１２０を包囲しているのは、回転体円筒１３２の形をしたロック部材であり、回転体円筒１３２は、回転可能に配置されているものの、回転体円筒の外面上の周方向に延在する溝１３４が、近位ハウジング部に配置されたフレキシブルアーム１３６上の内向きに延在する突起と協働するため、直線運動しないようロックされる（図１１）。回転体円筒にはさらに、近位方向に向けられた舌状部１３８が配置され（図１１）、舌状部１３８には、針ガードの舌状部の傾斜面１１８と協働するよう意図された傾斜面１４０が配置されている。回転体円筒の近位端面には、舌状部１３８の傾斜面１４０とほぼ対応する傾斜方向を有する、近位方向に延在するフレキシブルアーム１４２が、さらに取付けられている。フレキシブルアーム１４２の近位端には、周方向に延在するアーム部１４４が取付けられている。アーム部１４４の端には、遠位方向に向けられた棚状突起１４６が取付けられるかまたは一体化され、遠位方向の棚状突起１４６は、回転体円筒１３２の切欠きに位置付けられる（図１１）。回転体円筒１３２の遠位端には、切欠き１４８が設けられ、各切欠き１４８には、傾斜側面１５０が配置されている。また、回転体円筒の遠位方向に向けられた端面には、周方向に延在するフレキシブルアーム１５２が配置され（図１２）、それらのアーム１５２には、遠位方向に向けられた楔形の突起１５４が配置されている。突起１５４は、近位ハウジング部１０２の内部の近位壁面上の対応する楔形のラチェット１５６（図１０）と協働するよう意図されている。
【００３４】
また、装置のハウジングの内部には、薬剤容器１２２の内部に配置された可動ストッパ１６０と接触する近位端を有する細長いプランジャロッド１５８（図８）が配置されている。プランジャロッドは、遠位ハウジング部１００に位置付けられた誘導部材１６２の管状区画の内部に延在している。コイル状の圧縮ばねの形をした駆動ばね１６４が、その近位端がプランジャロッドの近位端に取付けられた周方向の棚状突起１６６と接触し、その遠位端が誘導部材１６２の端壁１６８と接触した状態で、プランジャロッドを包囲して配置されている（図８）。遠位端は、誘導部材１６２の端壁１６８の中央通路を通ってさらに延在している。プランジャロッドの遠位端には、周方向の棚状突起１７０がさらに設けられている。ロック手段１７２が、プランジャロッドの遠位端を包囲している。ロック手段は、複数のスリット１７４を有する略管状の形状を含んでおり、それによりフレキシブルアーム１７６を形成する。アームの端には、内向きに向けられた突起１７８が設けられ、それらは、プランジャロッド１５８の周方向の棚状突起１７０と協働してそれを所定の位置にロックする。ロック手段１７２の近位端面は、誘導部材１６２の遠位端面と当接している。
【００３５】
また、装置の遠位端には、アクチュエータ部材１８０が配置されている。それは、装置の遠位端を通って突出する作動ボタン１８２を含む。作動ボタン１８２の近位端は、略管状に設計されている。作動部材の作動ボタンは、略管状の形状を有するロック／解除部材１８４に取付けられている。ロック／解除部材１８４は、ロック部材１７２を包囲してそれと接触しており、そのフレキシブルアーム１７６が径方向外側に曲がることを防止する。ロック／解除部材１８４には、回転体円筒の遠位端面に隣接する近位端面１８８を有する近位方向に延在するアーム１８６がさらに配置されている（図１３）。
【００３６】
装置は、以下のように機能するよう意図されている。装置は好ましくは、薬剤容器１２２が内部に搭載された状態で届けられる。用量を送達する際、保護キャップ１１４が取外される。薬剤送達部材ガード１０４はばね１２６によって近位方向に圧迫され、それにより薬剤送達部材をカバーする。アーム１８６の近位端面１８８が回転体円筒１３２の遠位端面と接触しているため、作動ボタン１８２を押すことはできず、作動部材１８０のいかなる動きも防止する。
【００３７】
患者は次に、たとえば注射部位などの用量送達部位に装置の近位端を押付ける。すると薬剤送達部材ガード１０４が遠位方向に押され、薬剤送達部材１２４を露出する。薬剤送達部材ガード１０４は、溝１０８内で摺動する突起１０６により、直線的にしか動くことができない。薬剤送達部材ガード１０４の遠位方向の動きにより、その傾斜面１１８は、回転体円筒１３２の傾斜面１４０と接触するようになり、回転体円筒１３２の回転を引起す。薬剤送達部材１２４が注射針である場合に、薬剤送達部材ガード１０４が遠位方向に、たとえば穿通深さに対応するある距離だけ押されると、回転体円筒１３２は、回転体円筒１３２の遠位端の切欠き１４８が、ロック／解除部材１８４のアーム１８６に沿うように回転する。
【００３８】
ここで患者が作動ボタン１８２を近位方向に押すと、ロック／解除部材１８４も、ロック／解除部材１８４の遠位端面がロック手段１７２の近位端面を通過するまで、近位方向に、かつ静止したロック部材１７２に対して動かされる。次に、ロック手段１７２のアーム１７６が径方向外側に自由に曲がり、それによりプランジャロッド１５８を解除する。プランジャロッド１５８はここで駆動ばね１６４によって近位方向に押し進められ、それによりプランジャロッド１５８はストッパ１６０を近位方向に押し、薬剤の用量が薬剤送達部材１２４を通って送達される。
【００３９】
また、作動ボタン１８２を押すことにより、アーム１８６は、回転体円筒１３２の切欠き１４８の傾斜側面１５０に作用して、回転体円筒がさらなる距離回転されるようにする。回転体円筒１３２の回転により、フレキシブルアーム１４２は動かされて、針ガード１０４の遠位方向に向けられた舌状部１１６の側面と接触し、周方向に曲がるようになる。回転体円筒１３２の遠位端上のフレキシブルアーム１５２は、ハウジングのラチェット１５６と協働して、回転体円筒１３２のいかなる復帰運動も防止する。
【００４０】
用量送達後、装置は用量送達部位から取外され、それにより薬剤送達部材ガード１０４は、ばね１２６の作用によって近位方向に押される。薬剤送達部材ガード１０４の近位方向の動きにより、その遠位方向に向けられた舌状部１１６が動かされてフレキシブルアーム１４２と接触しなくなり、それにより、後者は、それらの近位端面が針ガード１０４の舌状部１１６の遠位端面に沿うように周方向に自由に動く。それにより、針ガード１０４は遠位方向に押されないようになり、それにより針ガードは薬剤送達部材を包囲して保護し、それは、注射針である場合、使用済みの汚れた注射針に対する意図しない針刺しを防止する。装置はここで廃棄可能である。
【００４１】
上に説明され図面に示された実施例はこの発明の単なる例示的な実施例として見なされるべきであるということ、および、それは特許請求項の範囲内で多くの方法で変更されてもよいということが理解されるべきである。
【図１】
0005767341.tif 000002
【図２】
0005767341.tif 000003
【図３】
0005767341.tif 000004
【図４】
0005767341.tif 000005
【図５】
0005767341.tif 000006
【図６】
0005767341.tif 000007
【図７】
0005767341.tif 000008
【図８】
0005767341.tif 000009
【図９】
0005767341.tif 000010
【図１０】
0005767341.tif 000011
【図１１】
0005767341.tif 000012
【図１２】
0005767341.tif 000013
【図１３】
0005767341.tif 000014